(57)【要約】  ユーザ機器（ＵＥ）にサービス提供する移動体通信システムにおけるネットワークノード（８００）の動作は、ブロードキャスト専用モードにおいて当該ネットワークノード（８００）が動作しているか否かを確認することを含む。そうである場合、ブロードキャストチャネル情報は、物理マルチキャスト／ブロードキャストチャネル（ＭＣＨ）上を送信される（８０３）。そうでない場合、ブロードキャストチャネル情報は、物理ブロードキャストチャネル（ＢＣＨ）上を送信される（８０５）。ブロードキャストチャネル情報を見つける場所をＵＥに知らせるため、ネットワークノード（８００）は、ＵＥへ指標を送信し（８０７）、当該指標は、ブロードキャストチャネル情報が物理ブロードキャストチャネル（ＢＣＨ）又は物理マルチキャスト／ブロードキャストチャネル（ＭＣＨ）のいずれを介して伝達されるかを示す。上記指標は、ＵＥのセルサーチ手続を可能とするためにも使用される信号内に含まれ得る。【選択図】図９
2010518744.tif 000002
【特許請求の範囲】
【請求項１】
ネットワークノードを含むセルラー通信システムにおいてユーザ機器（ＵＥ）を動作させる方法であって：
ブロードキャストチャネル情報が物理ユニキャスト送信リソース又は物理マルチキャスト／ブロードキャスト送信リソースのいずれを介して伝達されるかを示す指標を、前記ネットワークノードから受信するステップ（１００１）と；
ブロードキャストチャネル情報が前記物理ユニキャスト送信リソース又は前記物理マルチキャスト／ブロードキャスト送信リソースのいずれを介して伝達されるかを確認するステップ（１００３）と；
前記ブロードキャストチャネル情報が前記物理ユニキャスト送信リソースを介して伝達されることを前記指標が示している場合、前記ブロードキャストチャネル情報を前記物理ユニキャスト送信リソースから受信するステップ（１００３）と；
前記ブロードキャストチャネル情報が前記物理マルチキャスト／ブロードキャスト送信リソースを介して伝達されることを前記指標が示している場合、前記ブロードキャストチャネル情報を前記物理マルチキャスト／ブロードキャスト送信リソースから受信するステップ（１００５）と；
を特徴とする方法。
【請求項２】
前記物理ユニキャスト送信リソースは、物理ブロードキャストチャネル（ＢＣＨ）であり；
前記物理マルチキャスト／ブロードキャスト送信リソースは、物理マルチキャスト／ブロードキャストチャネル（ＭＣＨ）である；
請求項１に記載の方法。
【請求項３】
前記指標は、タイミング及び他の情報のうち少なくとも１つを前記ＵＥへ通信するための無線フレーム７００内の１以上の予決定された位置において、前記ネットワークノードから前記ＵＥへ通信される信号である、請求項１又は請求項２のいずれかに記載の方法。
【請求項４】
前記指標は、前記ネットワークノードから受信した信号の第１のタイミングパラメータを前記ＵＥが決定することを可能とする一次同期信号（Ｐ−ＳｙＳ）であり、当該一次同期信号（Ｐ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、
請求項１〜３のいずれかに記載の方法。
【請求項５】
前記指標は、前記ネットワークノードから受信した信号の第２のタイミングパラメータを前記ＵＥが決定することを可能とする二次同期信号（Ｓ−ＳｙＳ）であり、当該二次同期信号（Ｓ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１〜３のいずれかに記載の方法。
【請求項６】
前記異なるシーケンスの前記少なくとも１つは、セルグループの情報をさらに示す、請求項５に記載の方法。
【請求項７】
前記指標は、前記ネットワークノードからのセル固有情報を前記ＵＥが決定することを可能とする参照信号であり、当該参照信号は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１〜３のいずれかに記載の方法。
【請求項８】
ユーザ機器（ＵＥ）にサービス提供する移動体通信システムにおいてネットワークノード（８００）を動作させる方法であって：
前記ネットワークノード（８００）がブロードキャスト専用モードにおいて動作しているか否かを確認するステップ（８０１）と；
前記ネットワークノード（８００）が前記ブロードキャスト専用モードにおいて動作している場合には、ブロードキャストチャネル情報を物理マルチキャスト／ブロードキャスト送信リソース上で送信するステップ（８０３）と；
前記ネットワークノード（８００）が前記ブロードキャスト専用モードにおいて動作していない場合には、前記ブロードキャストチャネル情報を物理ユニキャスト送信リソース上で送信するステップ（８０５）と；
を特徴とする方法。
【請求項９】
前記物理ユニキャスト送信リソースは、物理ブロードキャストチャネル（ＢＣＨ）であり；
前記物理マルチキャスト／ブロードキャスト送信リソースは、マルチキャスト／ブロードキャストチャネル（ＭＣＨ）である；
請求項８に記載の方法。
【請求項１０】
前記ＵＥへ指標を送信するステップ（８０７）を含み、
前記指標は、前記ブロードキャストチャネル情報が前記物理ユニキャスト送信リソース又は前記物理マルチキャスト／ブロードキャスト送信リソースのいずれを介して伝達されるかを示す、
請求項８又は請求項９のいずれかに記載の方法。
【請求項１１】
前記指標は、タイミング及び他の情報のうち少なくとも１つを前記ＵＥへ通信するための無線フレーム７００内の１以上の予決定された位置において、前記ネットワークノードから前記ＵＥへ通信される信号である、請求項１０に記載の方法。
【請求項１２】
前記指標は、前記ネットワークノードから受信した信号の第１のタイミングパラメータを前記ＵＥが決定することを可能とする一次同期信号（Ｐ−ＳｙＳ）であり、当該一次同期信号（Ｐ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、
請求項１０又は請求項１１のいずれかに記載の方法。
【請求項１３】
前記指標は、前記ネットワークノードから受信した信号の第２のタイミングパラメータを前記ＵＥが決定することを可能とする二次同期信号（Ｓ−ＳｙＳ）であり、当該二次同期信号（Ｓ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１０又は請求項１１のいずれかに記載の方法。
【請求項１４】
前記異なるシーケンスの前記少なくとも１つは、セルグループの情報をさらに示す、請求項１３に記載の方法。
【請求項１５】
前記指標は、前記ネットワークノードからのセル固有情報を前記ＵＥが決定することを可能とする参照信号であり、当該参照信号は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１０又は請求項１１のいずれかに記載の方法。
【請求項１６】
ネットワークノードを含むセルラー通信システムにおいてユーザ機器（ＵＥ）を動作させるための装置であって：
ブロードキャストチャネル情報が物理ユニキャスト送信リソース又は物理マルチキャスト／ブロードキャスト送信リソースのいずれを介して伝達されるかを示す指標を、前記ネットワークノードから受信する（１００１）ように構成されたロジックと；
ブロードキャストチャネル情報が前記物理ユニキャスト送信リソース又は前記物理マルチキャスト／ブロードキャスト送信リソースのいずれを介して伝達されるかを確認する（１００３）ように構成されたロジックと；
前記ブロードキャストチャネル情報が前記物理ユニキャスト送信リソースを介して伝達されることを前記指標が示している場合、前記ブロードキャストチャネル情報を前記物理ユニキャスト送信リソースから受信する（１００３）ように構成されたロジックと；
前記ブロードキャストチャネル情報が前記物理マルチキャスト／ブロードキャスト送信リソースを介して伝達されることを前記指標が示している場合、前記ブロードキャストチャネル情報を前記物理マルチキャスト／ブロードキャスト送信リソースから受信する（１００５）ように構成されたロジックと；
を特徴とする装置。
【請求項１７】
前記物理ユニキャスト送信リソースは、物理ブロードキャストチャネル（ＢＣＨ）であり；
前記物理マルチキャスト／ブロードキャスト送信リソースは、物理マルチキャスト／ブロードキャストチャネル（ＭＣＨ）である；
請求項１６に記載の装置。
【請求項１８】
前記指標は、タイミング及び他の情報のうち少なくとも１つを前記ＵＥへ通信するための無線フレーム７００内の１以上の予決定された位置において、前記ネットワークノードから前記ＵＥへ通信される信号である、請求項１６又は請求項１７のいずれかに記載の装置。
【請求項１９】
前記指標は、前記ネットワークノードから受信した信号の第１のタイミングパラメータを前記ＵＥが決定することを可能とする一次同期信号（Ｐ−ＳｙＳ）であり、当該一次同期信号（Ｐ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、
請求項１６〜１８のいずれかに記載の装置。
【請求項２０】
前記指標は、前記ネットワークノードから受信した信号の第２のタイミングパラメータを前記ＵＥが決定することを可能とする二次同期信号（Ｓ−ＳｙＳ）であり、当該二次同期信号（Ｓ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１６〜１８のいずれかに記載の装置。
【請求項２１】
前記異なるシーケンスの前記少なくとも１つは、セルグループの情報をさらに示す、請求項２０に記載の装置。
【請求項２２】
前記指標は、前記ネットワークノードからのセル固有情報を前記ＵＥが決定することを可能とする参照信号であり、当該参照信号は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項１６〜１８のいずれかに記載の装置。
【請求項２３】
ユーザ機器（ＵＥ）にサービスを提供する移動体通信システムにおいてネットワークノード（８００）を動作させるための装置であって：
前記ネットワークノード（８００）がブロードキャスト専用モードにおいて動作しているか否かを確認する（８０１）ように構成されたロジックと；
前記ネットワークノード（８００）が前記ブロードキャスト専用モードにおいて動作している場合、ブロードキャストチャネル情報を物理マルチキャスト／ブロードキャスト送信リソース上で送信する（８０３）ように構成されたロジックと；
前記ネットワークノード（８００）が前記ブロードキャスト専用モードにおいて動作していない場合、前記ブロードキャストチャネル情報を物理ユニキャスト送信リソース上で送信する（８０５）ように構成されたロジックと；
を特徴とする装置。                                           
【請求項２４】
前記物理ユニキャスト送信リソースは、物理ブロードキャストチャネル（ＢＣＨ）であり；
前記物理マルチキャスト／ブロードキャスト送信リソースは、物理マルチキャスト／ブロードキャストチャネル（ＭＣＨ）である；
請求項２３に記載の装置。
【請求項２５】
前記ＵＥへ指標を送信する（８０７）ように構成されたロジックを含み、
前記指標は、前記ブロードキャストチャネル情報が前記物理ユニキャスト送信リソース又は前記物理マルチキャスト／ブロードキャスト送信リソースのいずれを介して伝達されるかを示す、
請求項２３又は請求項２４のいずれかに記載の装置。
【請求項２６】
前記指標は、タイミング及び他の情報のうち少なくとも１つを前記ＵＥへ通信するための無線フレーム７００内の１以上の予決定された位置において、前記ネットワークノードから前記ＵＥへ通信される信号である、請求項２５に記載の装置。
【請求項２７】
前記指標は、前記ネットワークノードから受信した信号の第１のタイミングパラメータを前記ＵＥが決定することを可能とする一次同期信号（Ｐ−ＳｙＳ）であり、当該一次同期信号（Ｐ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、
請求項２５又は請求項２６のいずれかに記載の装置。
【請求項２８】
前記指標は、前記ネットワークノードから受信した信号の第２のタイミングパラメータを前記ＵＥが決定することを可能とする二次同期信号（Ｓ−ＳｙＳ）であり、当該二次同期信号（Ｓ−ＳｙＳ）は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項２５又は請求項２６のいずれかに記載の装置。
【請求項２９】
前記異なるシーケンスの前記少なくとも１つは、セルグループの情報をさらに示す、請求項２８に記載の装置。
【請求項３０】
前記指標は、前記ネットワークノードからのセル固有情報を前記ＵＥが決定することを可能とする参照信号であり、当該参照信号は、さらに複数の異なるシーケンスの１つを伝達し、前記異なるシーケンスの少なくとも１つは、前記ブロードキャストチャネル情報が前記物理ユニキャスト送信リソースを介して伝達されることを示し、及び前記異なるシーケンスの少なくとももう１つは、前記ブロードキャストチャネル情報が前記物理マルチキャスト／ブロードキャスト送信リソースを介して伝達されることを示す、請求項２５又は請求項２６のいずれかに記載の装置。
【発明の詳細な説明】
【技術分野】
【０００１】
本発明は、通信システムにおける方法及び構成に関し、特に、セルラー通信システムの運用におけるブロードキャスト専用モード（broadcast-only  mode）を検出し、及び効率的に使用するための方法及び構成に関する。
【背景技術】
【０００２】
ＧＳＭ（Global  System  for  Mobile  Communication）及びＷＣＤＭＡ（Wideband  Code  Division  Multiple  Access）のような移動体セルラー方式標準の来るべき進化において、ＯＦＤＭ（Orthogonal  Frequency  Division  Multiplexing）のような新しい伝送技術が現れようとしている。さらに、既存のセルラーシステムから既存の無線領域における新しい高容量高データレートシステムへ円滑に移行するために、新システムは、サイズの変化する帯域幅を利用できなければならない。第三世代ＬＴＥ（Long  Term  Evolution）と呼ばれるこのような新しい柔軟なセルラーシステムは、３Ｇ  ＷＣＤＭＡ標準の進化版として理解され得る。当該システムは、ダウンリンクにおける多重アクセス技術としてＯＦＤＭを使用し（ＯＦＤＭＡと呼ばれる）、１．２５ＭＨｚから２０ＭＨｚにわたる帯域幅において動作することが可能になるであろう。さらに、１００Ｍｂ／ｓまでの、及び１００Ｍｂ／ｓを超えるデータレートが、最大帯域幅についてはサポートされるであろう。しかしながら、ＬＴＥは、高レートサービスのためだけでなく、音声のような低レートサービスのためにも使用されるであろうと期待される。ＬＴＥはＴＣＰ／ＩＰ（Transmission  Control  Protocol/Internet  Protocol）のために設計されているため、ＶｏＩＰ（Voice  over  IP）は、恐らく音声を伝送するそのサービスになるであろう。
【０００３】
単独のユーザによって受信されることをターゲットとするシステムからの送信は、いわゆる“ユニキャスト”という動作のモードにおいて行われる。その場合、意図された単独の受信機へ情報を通信する単独の送信機が存在する。しかし、ＬＴＥシステムは、ＭＢＭＳ（Multimedia  Broadcast/Multicast  Service）と呼ばれるブロードキャスト／マルチキャストサービスをサポートするよう追加的に設計されている。従来のアプローチにおいて、ユニキャスト機能及びブロードキャスト／マルチキャスト機能を両方同時に提供することは、次で詳しく述べられるように、多くの非効率をもたらす。
【０００４】
移動体通信システムにおけるブロードキャスト／マルチキャストサービスの提供は、複数の、多くの場合多数の移動端末へ、同じ情報を同時に提供することを可能とする。それら移動端末は、多くの場合多数のセルに対応する広いエリア一面に分散している。図１は、この点を説明するものであり、複数のセル１０３を含むブロードキャストエリア１０１を示している。ブロードキャスト／マルチキャストされる情報は、テレビのニュースクリップ、地域の天候状況に関する情報、株式市場の情報、又は所与の時点で多数のユーザが関心を有するであろう他のいかなる種類の情報であってもよい。
【０００５】
同じ情報がセル内の複数の移動端末へ提供されるべき場合、この情報は、各移動端末へ個々の送信手段（すなわち、複数のユニキャスト送信）で提供されるよりもむしろ、セル全体をカバーし、全ての関係する移動端末によって同時に受信される、単一の“ブロードキャスト”無線送信として提供される方が、有益である場合が多い。
【０００６】
セル内のブロードキャスト送信は、最も困難な状況下でも動作できなければならない（例えば、たとえ他の移動端末が送信機アンテナの非常に近くにいる可能性があるとしても、セルの境界にいる移動端末をカバーできている必要がある）ため、リソース（基地局の送信電力）の観点で比較的コストをかけて所定のブロードキャストサービスのデータレートを提供することが必要とされ得る。代わりに、セル内で受信状況が悪いエリア（例えば、セル端）において達成され得る制限された信号対雑音比を考慮に入れると、達成可能なブロードキャストデータレートは、特に大きなセルが含まれる場合、比較的制限される可能性がある。その場合のブロードキャストのデータレートを増加させる一つの方法は、セルサイズを減らし、それによってセル端における受信信号の電力を増加させることであろう。しかしながら、そのようなアプローチは、あるエリアをカバーするために必要なセルの数を増やし、それ故に展開費用の観点から明らかに望ましくないであろう。
【０００７】
しかしながら、前述したように、移動体通信ネットワークにおけるブロードキャスト／マルチキャストサービスの提供は、典型的には同一の情報が多数のセル一面に提供されるべき場合に起こる。そのような場合、ブロードキャストデータを検出／復号する際にセル端における移動端末が複数のセルから発せられている複数のブロードキャスト送信からの受信電力を利用することが可能であれば、望ましいブロードキャストデータレートを提供するために必要とされるリソース（例えば、基地局の送信電力）は、大幅に削減され得る。
【０００８】
これを達成するための１つの方法は、異なるセルからのブロードキャスト送信が、まさに同一であって、相互に時間軸が揃えられて送信されることを確保することである。このような状況下において、ユーザ機器（ＵＥ）（例えば、移動端末）によって受信された複数のセルからの送信は、厳しいマルチパス伝搬にさらされている単独の送信として見えるであろう。複数のセルからの同一であり時間軸が揃えられた信号の送信は、特にブロードキャスト／マルチキャストサービスを提供するために利用される場合、ＳＦＮ（Single-Frequency-Network）動作又はＭＢＳＦＮ（Multicast-Broadcast  Single  Frequency  Network）動作と呼ばれることがある。
【０００９】
複数のセルが、このように同一であり時間軸が揃えられた信号を送信する場合、ＵＥは、隣接するセルから“セル間干渉”を経験することはもはやないが、代わりに時間のばらつき（time  dispersion）に起因する信号破損を経験する。ブロードキャスト送信がこの“時間のばらつき”の主要部分をカバーするサイクリックプレフィクスを有するＯＦＤＭに基づいている場合には、達成可能なブロードキャストデータレートを制限するものは雑音しかなく、つまり、特により小さいセルにおいては非常に高いブロードキャストデータレートが達成され得る。さらに、ＯＦＤＭ受信機は、ソフト合成されるべきセルを明確に特定する必要がない。むしろ、サイクリックプレフィクス内に収まる送信をした全てのセルが、“自動的に”ＵＥの受信信号の電力に寄与するであろう。
【００１０】
ほとんどの現代の通信システムの実装に関連付けられる処理は、異なるプロトコルレイヤに構造化される。ＷＣＤＭＡ／ＨＳＰＡ（WCDMA/High-Speed  Packet  Access）及びＬＴＥシステムは、多数の例のうちの２つに過ぎない。ダウンリンクについてのＬＴＥプロトコルアーキテクチャの一般的な概観は、図２に示されている。後続の議論において明らかになるように、図２に示されている全ての構成要素があらゆる状況に適用可能であるわけではない。例えば、ＭＡＣ（Medium  Access  Control）スケジューリングも、ソフト合成を伴うハイブリッドＡＲＱ（Automatic  Repeat  Request）も、システム情報のブロードキャストのためには使用されない。
【００１１】
ダウンリンクにおいて送信されるべきデータは、１つのＳＡＥベアラ上にＩＰパケットの形で入力される。無線での送信に先立って、入力されるＩＰパケットは、以下に要約され、次のセクションにおいてより詳細に説明される、複数のプロトコルの構成要素を通過する。
・ＰＤＣＰ（Packet  Data  Convergence  Protocol）は、ＩＰヘッダの圧縮を遂行する。
・ＲＬＣ（Radio  Link  Control）は、無線ベアラの形でＰＤＣＰへサービスを提供する。
・ＭＡＣ（Medium  Access  Control）は、論理チャネルの形でＲＬＣへサービスを提供する。
・ＰＨＹ（物理層）は、符号化／復号化、変調／復調、マルチアンテナマッピング、及び他の典型的な物理層の機能を処理する。物理層は、伝送チャネル（transport  channel）の形でＭＡＣ層へサービスを提供する。
【００１２】
ＭＡＣは、いわゆる論理チャネルを介してＲＬＣレイヤへサービスを提供する。論理チャネルは、送信される情報のタイプによって定義される。本議論に関連する論理チャネルのタイプは次に要約される：
・ＢＣＣＨ（Broadcast  Control  Channel）は、ネットワークからセルにおける全ての移動端末へのシステム制御情報の送信のために使用される。システムへのアクセスに先立って、ＵＥは、システムがどのように構成されているかを知るために（例えば、どのリソースが、ランダムアクセスのために使用されるべきであるかを知るために）、ＢＣＣＨ上を送信される情報を読む必要がある。
・ＤＴＣＨ（Dedicated  Traffic  Channel）は、ＵＥへ／ＵＥからのユーザデータの伝送のために使用される。これは、アップリンク及びダウンリンクのユニキャストデータの送信のために使用される論理チャネルのタイプである。
・ＭＴＣＨ（Multicast  Traffic  Channel）は、ＭＢＭＳサービスのダウンリンク送信のために使用される。ＭＣＣＨ論理チャネルは、ＭＴＣＨ固有の制御情報を伝送するために使用される。
【００１３】
物理層は、伝送チャネルの形でＭＡＣレイヤへサービスを提供する。伝送チャネルは、情報が、どのように及びどのような特性で、無線で送信されるべきかによって定義される。本議論に関連する伝送チャネルは、次を含む：
・ＢＣＨ（Broadcast  Channel）は、規格によって提供される固定のトランスポートフォーマットを有する。これは、ＢＣＣＨ論理チャネル上での情報の送信のために使用される。ＭＢＳＦＮは、サポートされていない。
・ＤＬ−ＳＣＨ（Downlink  Shared  Channel）。これは、ＬＴＥシステムにおいて（ユニキャスト）ダウンリンクデータの送信のために使用される伝送チャネルである。ＭＢＳＦＮ動作は、サポートされていない。
・ＭＣＨ（Multicast  Channel）は、ＭＢＭＳをサポートするために使用される。ＭＣＨは、ＭＢＳＦＮ動作をサポートしている。
【００１４】
ＭＡＣの機能性の一部に、異なる論理チャネルの多重化と、適当な伝送チャネルへのその論理チャネルのマッピングがある。情報のタイプとそれが送信されるべき方法との間にはいくらか関係があるため、論理チャネルを伝送チャネルへマッピングすることについてある種の制約がある。図３において、論理チャネルを伝送チャネルへマッピングする例が挙げられている。特に、ダウンリンク方向のみにおいて、ＢＣＣＨ論理チャネルは、ＢＣＨ伝送チャネルへマッピングされ、一方、ＭＴＣＨ論理チャネルは、ＭＣＨ伝送チャネルへマッピングされる。加えて、ダウンリンク方向又はアップリンク方向のいずれかにおいて、ＤＴＣＨ論理チャネルは、ＤＬ−ＳＣＨ（ダウンリンク）又はＵＬ−ＳＣＨ（アップリンク）へマッピングされる。
【００１５】
ＬＴＥ物理層のダウンリンク送信は、ＯＦＤＭを基礎としている。図４に示されているように、基本的なＬＴＥダウンリンクの物理リソースは、それ故に、時間−周波数グリッドとして見られることが可能であり、図４において、それぞれのいわゆる“リソースエレメント”は、１つのＯＦＤＭシンボル間隔の間に１つのＯＦＤＭサブキャリアに対応する。
【００１６】
図５に示されているように、周波数領域におけるダウンリンクサブキャリアは、リソースブロックにグループ化され、ここで各リソースブロックは、１つの０．５ｍｓスロット（（図示されているように）通常のサイクリックプレフィクスが使用されている場合は７ＯＦＤＭシンボル、又は拡張されたサイクリックプレフィクスが使用されている場合は６ＯＦＤＭシンボル）の持続期間（duration）について、１２の連続したサブキャリアよりなり、１８０ｋＨｚの名目上のリソースブロック帯域幅に相当する。
【００１７】
ＤＣサブキャリアを含むダウンリンクサブキャリアの総数はそれ故、ＮＣ＝１２＊ＮＲＢ＋１に等しく、ここでＮＲＢは、１２＊ＮＲＢの使用可能なサブキャリアから形成され得るリソースブロックの最大数である。ＬＴＥ物理層の規格は、実際にダウンリンクキャリアがＮＲＢ−ｍｉｎ＝６以上から変化し、約１ＭＨｚから優に２０ＭＨｚにわたる名目上の送信帯域幅に相当する、任意の数のリソースブロックよりなることを可能にする。このことは、少なくとも物理層の規格の観点からすると、非常に高度なＬＴＥ帯域幅／スペクトル柔軟性を可能にする。
【００１８】
図６ａ及び６ｂは、ＬＴＥのダウンリンク送信についての時間領域の構造を示している。各１ｍｓのサブフレーム６００は、長さＴｓｌｏｔ＝０．５ｍｓ（＝１５３６０＊ＴＳ、ここで、各スロットは、１５,３６０の時間単位ＴＳを含む）の２つのスロットよりなる。各スロットは、その結果、複数のＯＦＤＭシンボルよりなる。
【００１９】
間隔Δｆ＝１５ｋＨｚをあけるサブキャリアは、有効シンボルタイムＴｕ＝１／Δｆ≒６６．７μｓ（２０４８＊ＴＳ）に相当する。全体のＯＦＤＭシンボルタイムは、その結果、有効シンボルタイム及びサイクリックプレフィクス長ＴＣＰの合計である。２つのサイクリックプレフィクス長が定義されている。図６ａは通常のサイクリックプレフィクス長を示しており、通常のサイクリックプレフィクス長では、１スロットあたり７ＯＦＤＭシンボルの通信が可能である。通常のサイクリックプレフィクスの長さＴＣＰは、スロットの最初のＯＦＤＭシンボルについて１６０＊ＴＳ≒５．１μｓであり、残りのＯＦＤＭシンボルについて１４４＊ＴＳ≒４．７μｓである。
【００２０】
図６ｂは、より長いサイズのために、１スロットあたり６ＯＦＤＭシンボルのみの通信が可能である拡張されたサイクリックプレフィクスを示している。拡張されたサイクリックプレフィクス長、ＴＣＰ−ｅは、５１２＊ＴＳ〜１６．７μｓである。
【００２１】
通常のサイクリックプレフィクスの場合には、スロットの最初のＯＦＤＭシンボルについてのサイクリックプレフィクス長は、残りのＯＦＤＭシンボルについてのサイクリックプレフィクス長よりもいくらか長いことが観測されるであろう。この理由は、スロットあたりの時間単位の数ＴＳ（１５３６０）が、７で均等に割り切れないので、ただ０．５ｍｓスロット全体を埋めているためだけのことである。
【００２２】
リソースブロックのダウンリンクの時間領域の構造が考慮に入れられる場合（すなわち、０．５ｍｓスロットの間に１２のサブキャリアを使用）、各リソースブロックは、通常のサイクリックプレフィクスの場合について１２＊７＝８４のリソース要素（図５に示されている）、及び拡張されたサイクリックプレフィクスの場合について１２＊６＝７２のリソース要素（図示せず）よりなることがわかるであろう。
【００２３】
端末動作の別の重要な観点は、セルサーチである。セルサーチは、端末が潜在的に接続することが可能なセルを見つけるための手続である。セルサーチ手続の一部として、端末は、セル識別（identity  of  the  cell）を取得し、識別されたセルのフレームタイミングを評価する。またセルサーチ手続は、ブロードキャストチャネル上でシステム情報を受信するために必要不可欠な、システムにアクセスするために必要とされる残りのパラメータを含むパラメータの評価を行う。
【００２４】
複雑なセル計画（cell  planning）を避けるために、物理レイヤのセル識別（cell  identities）の数は、十分大きくあるべきである。例えば、ＬＴＥ標準に従ったシステムは、５０４の異なるセル識別をサポートしている。これら５０４の異なるセル識別は、それぞれ３つの識別（identities）から成る１６８のグループに分けられる。
【００２５】
セルサーチの複雑性を減らすために、ＬＴＥについてのセルサーチは、典型的には複数のステップで行われ、それらステップは、ＷＣＤＭＡの３ステップセルサーチ手続に類似したプロセスを作り上げる。この手続において端末を支援するために、ＬＴＥは、ダウンリンクにおいて一次同期信号及び二次同期信号を提供する。ＬＴＥシステムの無線インターフェイスの構造を示す図７において、これは示されている。ＬＴＥシステムの物理層は、１０ｍｓの持続期間を有する一般無線フレーム（generic  radio  frame）７００を含む。図７は、ＬＴＥのＦＤＤ（Frequency  Division  Duplex）システムのための１つのそうしたフレーム７００を示している。各フレームは（０から１９までの番号を付与された）２０のスロットを有し、各スロットは、通常７ＯＦＤＭシンボルよりなる０．５ｍｓの持続期間を有する。サブフレームは、２つの隣接したスロットから成り、そのために通常１４ＯＦＤＭシンボルよりなる１ｍｓの持続期間を有する。一次及び二次同期信号は、サブフレーム０及び５のそれぞれの最初のスロットの最後の２ＯＦＤＭシンボルに挿入された固有のシーケンスである。同期信号に加えて、セルサーチ手続の動作の一部では、送信信号内の既知の位置において送信される参照信号も利用される。
【００２６】
セルサーチ手続の第一ステップにおいて、移動端末は、５ｍｓスロットのタイミングを見つけるために一次同期信号を使用する。留意すべきは、一次同期信号は、各フレームにおいて二回送信されるということである。この１つの理由は、例えば、ＧＳＭシステムからＬＴＥシステムへの呼のハンドオーバを単純化するためである。しかしながら、フレームあたり２回一次同期信号を送信することにより、検出された一次同期信号がスロット＃０又はスロット＃５（図７を参照）のいずれに関連付けられるのか知ることが不可能となる不確かさ（ambiguity）が生じる。従って、セルサーチ手続のこの時点において、フレームタイミングに関する５ｍｓの不確かさがある。
【００２７】
多くの場合、隣接するセルにおけるフレームの開始時間が一致するように、複数のセルにおけるタイミングは、同期化される。この１つの理由は、ＭＢＳＦＮ動作を可能にするためである。しかしながら、隣接するセルの同期動作は、異なるセルにおける一次同期信号の送信が同時に起こるという結果ともなる。一次同期信号に基づくチャネル評価は、そのため、同じ一次同期信号が全てのそのようなセルにおいて使用されている場合、それらセルからの合成チャネルを反映するであろう。異なるセルにおける異なる二次同期信号のコヒーレント復調については、全てのセルからの合成チャネルの評価ではなく、関心のあるセルからのチャネルの評価が要求される。そのため、ＬＴＥシステムは、一次同期信号についての複数のシーケンスをサポートする。時間同期されたセルを伴う配置において、特定のセルの信号のコヒーレント受信を可能にするため、隣接するセルは、上述されたチャネル評価の問題を軽減するための異なる一次同期シーケンスを使用することが認められている。セルで使用される一次同期信号とセル識別グループ内における識別（identity）との間で１対１のマッピングが行われる場合には、セル識別グループ内における識別を、第一ステップにおいて決定することもできる。
【００２８】
次のステップにおいて、端末は、セル識別グループを検出し、及びフレームタイミングを決定する。これは、二次同期信号が送信されるスロットの組を観測することによって行われる。サブフレーム＃０及びサブフレーム＃５に位置する二次同期信号を区別するために、二次同期信号は、（ｓ１、ｓ２）の形で構成されている。ｓ１及びｓ２が、それぞれサブフレーム＃０及び＃５における二次同期信号を表しており、（ｓ１、ｓ２）が正当なシーケンスの組である場合、逆の組（ｓ２、ｓ１）は、有効なシーケンスの組ではない。この特性を利用することによって、端末は、セルサーチ手続における第一ステップから生じた５ｍｓのタイミングの不確かさを解決し、フレームタイミングを決定することが可能である。さらに、各組み合わせ（ｓ１、ｓ２）はセルグループの特定の１つを表しているため、セルグループ識別もまた２番目のセルサーチステップから取得される。
【００２９】
一度セルサーチ手続が完了すると、端末は、このセルとの間で通信するために必要な残りのパラメータ（例えば、セルにおいて使用される送信帯域幅）を取得するための、システム情報を受信する。このブロードキャスト情報は、ＢＣＨ伝送チャネル上を送信される。
【００３０】
上述されたシステムは、ＭＣＨ上を送信されるＭＢＭＳサービスについてＳＦＮ動作からのゲイン（利得）を利用するものの、ＢＣＨについてＳＦＮゲインを全く提供しないという問題があることが観測されている。ＤＬ−ＳＣＨ上のユニキャストサービス、及びＭＣＨ上のブロードキャストサービスの両方を提供するシステムにおいては、ＢＣＨ情報の一部はセル固有であり、それ故ＢＣＨ上をセルごとに個別に提供される必要があるので、これは問題ではない。しかしながら、ブロードキャスト送信のためにのみ使用されるシステム（すなわち、ＤＬ−ＳＣＨ上でユニキャストのユーザデータの送信が行われないシステム）については状況が異なる。このようなシステムにおいては、端末に送信されるべきセル固有の情報はない。むしろ、どのセルに端末が位置しているかに関わらず同じであるシステム固有の情報があるのだが、このシステム固有の情報は、やはりＢＣＨへマッピングされており、これはその情報を広める（disseminate）方法としては非効率的である。
【発明の概要】
【発明が解決しようとする課題】
【００３１】
そのため、上で特定された問題に関して改善された性能を提供するための方法及び装置を提供することが望まれる。
【課題を解決するための手段】
【００３２】
“含む”及び“含んでいる”という用語は、本明細書において使用されている場合、記述された特徴、整数値、ステップ又はコンポーネントの存在を特定するために用いられるが；これら用語の使用は、１以上の他の特徴、整数値、ステップ、コンポーネント、又はこれら一群の存在又は追加を除外するものではないことは重視されるべきである。
【００３３】
本発明の１つの観点によれば、前述の及び他の目的は、ユーザ機器（ＵＥ）にサービス提供する移動体通信システムにおけるネットワークノードを動作させる方法及び装置において達成される。このような動作は、上記ネットワークノードがブロードキャスト専用モードにおいて動作しているか否かを確認するステップを含む。そうである場合には、ブロードキャストチャネル情報は、物理マルチキャスト／ブロードキャスト送信リソース上を送信される。そうでない場合、上記ブロードキャストチャネル情報は、物理ユニキャスト送信リソース上を送信される。このことは、上記ブロードキャストチャネル情報の送信において利用可能であり得る任意のＳＦＮゲインを利用することを可能とする。
【００３４】
いくつかの実施形態において、上記物理マルチキャスト／ブロードキャスト送信リソースは、物理マルチキャスト／ブロードキャストチャネル（ＭＣＨ）であり、及び上記物理ユニキャスト送信リソースは、物理ブロードキャストチャネル（ＢＣＨ）である。
【００３５】
上記ＵＥが上記ブロードキャストチャネル情報の上記位置を決定することを促進するために、本発明に従った実施形態の別の観点において、上記ブロードキャストチャネル情報が上記物理ユニキャスト送信リソース又は上記物理マルチキャスト／ブロードキャスト送信リソースのいずれを介して伝達されるかを示す指標が、上記ＵＥへ送信される。
【００３６】
他の観点は、ネットワークノードを含むセルラー通信システムにおいてユーザ機器（ＵＥ）を動作させるための方法及び装置を含む。このような動作は、ブロードキャストチャネル情報が物理ユニキャスト送信リソース又は物理マルチキャスト／ブロードキャスト送信リソースのいずれを介して伝達されるかを示す指標を、上記ネットワークノードから受信するステップを含む。本指標は、ブロードキャストチャネル情報が上記物理ユニキャスト送信リソース又は上記物理マルチキャスト／ブロードキャスト送信リソースのいずれを介して伝達されるかを確認するために使用される。その結果上記ＵＥは、上記指標が上記ブロードキャストチャネル情報が上記物理ユニキャスト送信リソース（例えば、物理ブロードキャストチャネル（ＢＣＨ））を介して伝達されることを示している場合、上記物理ユニキャスト送信リソースから上記ブロードキャストチャネル情報を受信し、又は上記指標が上記ブロードキャストチャネル情報が上記物理マルチキャスト／ブロードキャスト送信リソース（例えば、物理マルチキャスト／ブロードキャストチャネル（ＭＣＨ））を介して伝達されることを示している場合、上記物理マルチキャスト／ブロードキャスト送信リソースから上記ブロードキャストチャネル情報を受信する。
【００３７】
いくつかの実施形態において、上記指標は、タイミング及び他の情報のうち少なくとも１つを上記ＵＥへ通信するための無線フレーム７００内の１以上の予決定された位置において、上記ネットワークノードから上記ＵＥへ通信される信号である。
【００３８】
例えば、上記指標は、上記ネットワークノードから受信した信号の第１のタイミングパラメータを上記ＵＥが決定することを可能とする一次同期信号（Ｐ−ＳｙＳ）であり、当該一次同期信号（Ｐ−ＳｙＳ）は、さらに複数の異なるシーケンスの１つを伝達し、上記異なるシーケンスの少なくとも１つは、上記ブロードキャストチャネル情報が上記物理ユニキャスト送信リソースを介して伝達されることを示し、及び上記異なるシーケンスの少なくとももう１つは、上記ブロードキャストチャネル情報が上記物理マルチキャスト／ブロードキャスト送信リソースを介して伝達されることを示す。
【００３９】
別の実施形態において、上記指標は、上記ネットワークノードから受信した信号の第２のタイミングパラメータを上記ＵＥが決定することを可能とする二次同期信号（Ｓ−ＳｙＳ）であり、当該二次同期信号（Ｓ−ＳｙＳ）は、さらに複数の異なるシーケンスの１つを伝達し、上記異なるシーケンスの少なくとも１つは、上記ブロードキャストチャネル情報が上記物理ユニキャスト送信リソースを介して伝達されることを示し、及び上記異なるシーケンスの少なくとももう１つは、上記ブロードキャストチャネル情報が上記物理マルチキャスト／ブロードキャスト送信リソースを介して伝達されることを示す。これらの実施形態の必ずしも全てというわけではないがいくつかにおいて、上記異なるシーケンスの上記少なくとも１つは、セルグループの情報をさらに示す。
【００４０】
更に他の別の実施形態において、上記指標は、上記ネットワークノードからのセル固有情報を上記ＵＥが決定することを可能とする参照信号であり、当該参照信号は、さらに複数の異なるシーケンスの１つを伝達し、上記異なるシーケンスの少なくとも１つは、上記ブロードキャストチャネル情報が上記物理ユニキャスト送信リソースを介して伝達されることを示し、及び上記異なるシーケンスの少なくとももう１つは、上記ブロードキャストチャネル情報が上記物理マルチキャスト／ブロードキャスト送信リソースを介して伝達されることを示す。
【図面の簡単な説明】
【００４１】
本発明の目的及び利点は、以下の図面と併せて次の詳細な説明を読むことによって理解されるであろう：
【００４２】
【図１】複数の地理的に隣接するセル１０３を含むブロードキャストエリアを示している。
【図２】ダウンリンクについての一例としてのＬＴＥプロトコルのレイヤアーキテクチャを示す高水準ブロック図である。
【図３】ＬＴＥシステムのような通信システムにおける、典型的な論理チャネルの伝送チャネルへのマッピングを示すブロック図である。
【図４】いわゆる“リソースエレメント”のそれぞれが、１ＯＦＤＭシンボル間隔の間の１ＯＦＤＭサブキャリアに相当する、基本的なＬＴＥダウンリンクの物理リソースを示す時間−周波数グリッドを示す。
【図５】周波数領域において、ダウンリンクサブキャリアがどのようにリソースブロックにグループ化されるかを示している。
【図６ａ】ＬＴＥダウンリンク送信についての時間領域の構造を通常のサイクリックプレフィクスとともに示している。
【図６ｂ】ＬＴＥダウンリンク送信についての時間領域の構造を拡張されたサイクリックプレフィクスとともに示している。
【図７】ＬＴＥシステムの無線インターフェイスの構造を示す信号タイミングの図である。
【図８】本発明のある観点に従って、移動体通信システムのネットワーク側コンポーネントにおいて実行されるステップ／プロセスを示す流れ図である。
【図９】本発明のある観点に従って、一例としての論理チャネルの物理チャネルへのマッピングを示す概略図である。
【図１０】本発明のある観点に従って、ＢＣＣＨがＢＣＨ又はＢＣＨのいずれへマッピングされているかを検出するためにＵＥにおいて実行されるステップ／プロセスを示す流れ図である。
【図１１】本発明のある観点に従って、ＢＣＣＨがＢＣＨ又はＭＣＨのいずれへマッピングされているかを決定するために受信された一次同期信号を使用するためのＵＥにおいて実行されるステップ／プロセスを示す流れ図である。
【図１２】本発明のある観点に従って、ＢＣＣＨがＢＣＨ又はＭＣＨのいずれへマッピングされているかを決定するために受信された二次同期信号を使用するためのＵＥにおいて実行されるステップ／プロセスを示す流れ図である。
【図１３】一例としてのＬＴＥ通信システムにおけるユニキャスト動作において使用される参照信号を示す時間−周波数グリッドである。
【図１４】全体の参照シンボルの構造を含むＬＴＥにおけるＭＢＳＦＮサブフレームの全体の構造を示す時間−周波数グリッドである。
【図１５】本発明のある観点に従って、ＢＣＣＨがＢＣＨ又はＭＣＨのいずれへマッピングされているかを決定するために受信された参照信号を使用するためのＵＥにおいて実行されるステップ／プロセスを示す流れ図である。
【発明を実施するための形態】
【００４３】
以下に、本発明の様々な特徴を図面を参照しながら説明する。その際、同様の部分は同じ参照符合を用いて特定される。
【００４４】
本発明の様々な観点は、複数の例となる実施形態に関連してより詳細にここで説明されるであろう。本発明の理解を促進するために、本発明の多くの観点は、コンピュータシステム又はプログラムされた命令を実行することが可能な他のハードウエアの構成要素によって遂行されるべきアクションのシーケンスとして説明される。実施形態のそれぞれにおいて、様々なアクションは、特殊な回路（例えば、特殊な機能を遂行するために相互接続された離散論理ゲート）によって、１以上のプロセッサによって、又は両者の組み合わせによって実行されるプログラム命令により遂行され得るということが認識されるであろう。さらに本発明は、全体として、ここに説明する技術をプロセッサに実行させ得る適当な組合せのコンピュータ命令を含むソリッドステート記憶装置、磁気ディスク、又は光ディスクのような、コンピュータにより読取可能な担体のどういった形態によっても具現されると考えられ得る。そのため、本発明の様々な観点は多くの異なる形態で具現される可能性があり、全てのそうした形態は本発明の範囲内であることが意図される。本発明の様々な観点のそれぞれについて、そうした実施形態の任意の形は、説明されるアクション又は機能を遂行する“ように構成されたロジック”、又はその代わりに、説明されるアクション又は機能を遂行する“ロジック”とここでは言及され得る。
【００４５】
前述したように、背景技術において説明したシステムは、ＭＣＨ上を送信されるＭＢＭＳサービスについてＳＦＮ動作からのゲインを利用するものの、ＢＣＨについてＳＦＮゲインを全く提供しないという問題が観測されている。ＤＬ−ＳＣＨ上のユニキャストサービス、及びＭＣＨ上のブロードキャストサービスの両方を提供するシステムにおいては、ＢＣＨ情報の一部はセル固有であり、それ故ＢＣＨ上をセルごとに個別に提供される必要があるので、これは問題ではない。しかしながら、ブロードキャスト送信のためにのみ使用されるシステム（すなわち、ＤＬ−ＳＣＨ上でユニキャストのユーザデータの送信が行われないシステム）については状況が異なる。このようなシステムにおいては、端末に送信されるべきセル固有の情報がない。むしろ、どのセルに端末が位置しているかに関わらず同じであるシステム固有の情報があるのだが、このシステム固有の情報は、やはりＢＣＨへマッピングされており、これはその情報を広める方法としては非効率的である。
【００４６】
そのため、本発明に従った実施形態のある観点によれば、システム性能は、システム（例えば、セルラー通信システムにおいて動作するセル）がブロードキャスト送信にのみ従事しているか否かを決定し、そうである場合には、システム情報（例えば、ＢＣＣＨ）を物理ユニキャストリソース（例えば、ＬＴＥにおいてはＢＣＨ）の代わりに物理マルチキャスト／ブロードキャストリソース（例えば、ＬＴＥにおいてはＭＣＨ）へマッピングすることによって、改善される。これは、システムが、システム情報を広める際にＳＦＮゲインから利益を得ることを可能にする。
【００４７】
セルがブロードキャスト専用モードで動作しているか否かに関する情報は、容易にネットワークコンポーネントにとって利用可能であり、送信機側における動作モードの決定を相当に容易にする。しかしながら、従来のセルサーチ手続は、システムがブロードキャスト専用ネットワークであるか又はブロードキャスト及びユニキャストサービスの両方を提供するネットワークであるかを示す情報を提供しないため、ＵＥ（例えば、移動端末）について状況が同じではない。そのため、従来の展開におけるＢＣＣＨ論理チャネル上のシステム情報は、システムがブロードキャスト送信にのみ従事しているか否かに関わらず、そうしないとＵＥをシステムにアクセスできなくしてしまうので、やはり物理ユニキャストリソース（例えば、ＢＣＨ伝送チャネル）へマッピングされる必要がある。
【００４８】
そのため、本発明に従った実施形態の他の観点によれば、セルサーチ手続から、システムがブロードキャスト送信にのみ従事しているか否かをＵＥが決定することを可能にする方法及び装置が提供される。そうである場合、ＵＥは、物理マルチキャスト／ブロードキャストリソース（例えば、ＭＣＨ）からＢＣＣＨ論理チャネル情報（例えば、システム固有の情報）を取得する。これらの及び他の観点は、次でさらに説明されている。説明、図面、及び特許請求の範囲を通して、ＬＴＥの専門用語及び概念は、ここで説明されている原理の読者による理解を促進するために使用される。しかしながら、これは、ＢＣＨへの言及はセル固有の送信スキームを使用する送信を表すものとより一般的に理解され、ＭＣＨへの言及はＭＢＳＦＮリソースを使用する送信を表すものとより一般的に理解されるように、限定ではない例を提供するように意図されている。
【００４９】
図８は、移動体通信システムのネットワーク側コンポーネント（例えば、ネットワークノード）において実行されるステップ／プロセスを示す流れ図である。図８は、示されている機能を遂行するように構成されたネットワークノード８００内のロジックを示しているとも考えられ得る。
【００５０】
ブロードキャスト専用モードにおいてネットワーク（例えば、セル）が動作しているか否かの決定が行われる（判定ブロック８０１）。そうである場合（判定ブロック８０１からの“ＹＥＳ”パス）、ＢＣＣＨ（論理チャネル）は、ＭＣＨ（物理チャネル）へマッピングされる（ステップ８０３）。
【００５１】
ネットワークがブロードキャスト専用モードにおいて動作していない場合（判定ブロック８０１からの“ＮＯ”パス）、ＢＣＣＨは、ＢＣＨへマッピングされる（ステップ８０５）。
【００５２】
一例としての論理チャネル９０１の物理チャネル９０３へのマッピングを示す図９に、この観点は、さらに示されている。ＢＣＣＨ（論理チャネル）に関して、ネットワーク動作がユニキャスト動作を含む場合、マッピング９０５は、ＢＣＨに対して行われる。しかしながら、ネットワークがブロードキャストモードのみにおいて動作している場合、システム情報の散布がＳＦＮゲインを利用し得るように、ＢＣＣＨのマッピング９０７は、ＭＣＨに対して行われる。
【００５３】
戻って図８を参照すると、ＵＥにとって、ＢＣＣＨがＢＣＨ又はＭＣＨのいずれへマッピングされているかを検出できることが必要である。そのため、この一例としての実施形態において、ネットワークノード８００は、いずれの物理チャネル（すなわち、ＢＣＨ又はＭＣＨ）に論理ＢＣＣＨがマッピングされているかを示す指標を送信する（ステップ８０７）。この指標の一例としての実施形態は、下に詳細に説明されている。
【００５４】
ここでＵＥ内の動作に焦点を当てると、ＵＥがシステム情報をどのように受信すべきかを知るために、ＢＣＣＨがＢＣＨ又はＭＣＨのいずれへマッピングされているかをまず検出する必要がある。図１０は、この動作を示す流れ図である。図１０は、様々に示されている機能を遂行するように構成されているＵＥ１０００内のロジックを示すとも考えられ得る。
【００５５】
ＵＥにおけるロジックは、ネットワーク（例えば、セル）が、ＢＣＣＨ情報をＭＣＨへマッピングしたか否かを決定する（判定ブロック１００１）。そうである場合（判定ブロック１００１からの“ＹＥＳ”パス）、ＵＥは、ＭＣＨからＢＣＣＨ情報を取得するであろう（ステップ１００３）。
【００５６】
ＢＣＣＨ情報が、ＭＣＨへマッピングされていない場合（判定ブロック１００１からの“ＮＯ”パス）、ＵＥは、ＢＣＨからＢＣＣＨ情報を取得するであろう（ステップ１００５）。
【００５７】
ＢＣＣＨがどのようにマッピングされているか（すなわち、マッピングがＭＣＨに対してなされているか又はＢＣＨに対してなされているか）の標識は、様々な方法で通信され得る。セルサーチ手続のために使用される信号においてこの標識を通信することは、特に有用である。限定ではない例としてＬＴＥシステムの構成及び専門用語を使用すると、これを行う１つの方法は、一次同期信号の数をすでに定義されている以上に拡大することである。前述したように、ＬＴＥシステムは、一次同期信号について３つの異なるシーケンスをサポートしている。例えば、第４のシーケンスを加えることで、３つのシーケンス（例えば、それらをシーケンス１〜３という）により“ＢＣＣＨがＢＣＨへマッピングされている”ことを示すことが可能となる。第４のシーケンス（シーケンス４という）は、この一例としての実施形態において、“ＢＣＣＨがＭＣＨへマッピングされている”ことを示すために使用される。ＬＴＥシステムにおいて使用される最後のシーケンスに応じて、第４のシーケンスの追加は、追加コストなしで生じ得る。
【００５８】
図１１の流れ図において示されている機能を、そこで、ＵＥ１１００における適切なロジックが遂行する。図１１は、様々に示されている機能を遂行するように構成されているＵＥ１１００内のロジックを示すとも考えられ得る。
【００５９】
ＵＥ１１００におけるロジックは、前述したように、一次同期信号（Ｐ−ＳｙＳ）を受信することを含むセルサーチ手続を遂行する（ステップ１１０１）。ＵＥのロジックは、一次同期信号がシーケンス＃４を伝達したか否かを決定する（判定ブロック１１０３）。そうである場合（判定ブロック１１０３からの“ＹＥＳ”パス）、これは、ネットワーク（例えば、セル）が、ＢＣＣＨ情報をＭＣＨへマッピングしたという標識である。その結果として、ＵＥ１１００は、ＭＣＨからＢＣＣＨ情報を取得するであろう（ステップ１１０５）。
【００６０】
一次同期信号が、シーケンス＃４を伝達しなかった（すなわち、一次同期信号がシーケンス＃１、２、又は３のうちの１つを伝達した）場合（判定ブロックからの“ＮＯ”パス）、これは、ネットワーク（例えば、セル）が、ＢＣＣＨ情報をＢＣＨへマッピングしたという標識である。その結果として、ＵＥ１１００におけるロジックは、ＢＣＨからＢＣＣＨ情報を取得するであろう（ステップ１１０７）。
【００６１】
図１１に示されている、セルサーチ手続全体が遂行された（ステップ１１０１）後に現れる判定ブロック１１０３は、単なる便宜上のものであるということは理解されるであろう。他の実施形態において、判定ブロック１１０３によって表わされる検査は、セルサーチ手続が完全に遂行されたか否かに関わらず、一次同期信号が取得された後いつ遂行されてもよい。
【００６２】
別の実施形態において、セルサーチ手続のために使用される信号においてＢＣＣＨマッピングに関する標識を通信するもう一つの方法は、二次同期信号の一部として伝達することである。これは、例えばＬＴＥシステムについて現在規格が定められている１６８を超えるセル識別グループの数を増やすことによって達成され得る。このような実施形態において、１６８を上回る数を伴うシーケンスは、“ＢＣＣＨがＭＣＨにマッピングされている”ことを示し、一方で、残りのシーケンスは、“ＢＣＣＨがＢＣＨにマッピングされている”ことを示すであろう。
【００６３】
図１２の流れ図において示されている機能を、本実施形態を実行するために、ＵＥ１２００における適切なロジックが遂行する。図１２は、様々に示されている機能を遂行するように構成されているＵＥ１２００内のロジックを示すとも考えられ得る。
【００６４】
ＵＥ１２００におけるロジックは、前述したように、二次同期信号（Ｓ−ＳｙＳ）を受信することを含むセルサーチ手続を遂行する（ステップ１２０１）。ＵＥのロジックは、二次同期信号が、ＭＣＨマッピングに向かうＢＣＣＨに関連付けられるセルグループＩＤを示したか否かを決定する（判定ブロック１２０３）。そうである場合（判定ブロック１２０３からの“ＹＥＳ”パス）、ＵＥ１２００は、ＭＣＨからＢＣＣＨ情報を取得するであろう（ステップ１２０５）。
【００６５】
二次同期信号が、ＭＣＨマッピングに向かうＢＣＣＨに関連付けられるセルグループＩＤを示さなかった場合（判定ブロック１２０３からの“ＮＯ”パス）、ＵＥ１２００におけるロジックは、ＢＣＨからＢＣＣＨ情報を取得するであろう（ステップ１２０７）。
【００６６】
図１２に示されている、セルサーチ手続全体が遂行された（ステップ１２０１）後に現れる判定ブロック１２０３は、単なる便宜上のものであるということは理解されるであろう。他の実施形態において、判定ブロック１２０３によって表わされる検査は、セルサーチ手続が完全に遂行されたか否かに関わらず、二次同期信号からセルグループＩＤが決定された後いつ遂行されてもよい。
【００６７】
さらにもう一つの別の実施形態において、セルサーチ手続のために使用され得る参照信号のパターンは、ＢＣＣＨマッピングに関する標識を通信するためにも使用される。前述したように、各リソースブロック内には、参照シンボルとして知られ、既知の値に設定されている特定の組のリソースエレメントがある。図１３において、基地局に単一の送信アンテナがある場合についてこれらが示されている。（基地局が１以上の送信アンテナを含む場合、送信される参照信号の数は、図１３において描写されている数よりも大きい。）参照シンボルは、例えば、ＵＥによってコヒーレント検出を目的としてダウンリンクチャネルを評価するために使用され得る。また参照シンボルは、前述されているようにＬＴＥの移動性機能の一部としても使用される。
【００６８】
図１３において理解され得るように、各リソースブロック内には４つの参照シンボルがあり、うち２つの参照シンボル（Ｒ１と表示されている）は１番目のＯＦＤＭシンボル内に、２つの参照シンボル（Ｒ２と表示されている）は最後から３番目のＯＦＤＭシンボル内にある。従って、１つのサブフレームに相当する一組のリソースブロック内には、合計８つの参照シンボルがあり、サブフレームの第１スロットに相当する第１のリソースブロック内には４つの参照シンボル、サブフレームの第２スロットに相当する第２のリソースブロック内には４つの参照シンボルがある。
【００６９】
参照シンボルは、ＬＴＥシステムのダウンリンクにおいて、ユニキャストデータの復調及び制御シグナリングのため、並びに測定目的のために使用される。これらの参照シンボルは、典型的には、隣接するセルによって異なる（すなわち、セル固有である）。しかしながら、ＬＴＥ無線アクセスネットワークがＭＢＳＦＮ送信を含む場合、追加の参照シンボルが、ＭＢＳＦＮ送信を伴うサブフレームにおいて（すなわち、ＭＢＳＦＮサブフレームにおいて）送信される。ＭＢＳＦＮ参照シンボルと呼ばれ得るこれらの参照シンボルは、ＭＢＳＦＮ送信に関与するすべてのセルで同一（すなわち、セル共通）である。ＭＢＳＦＮ参照シンボルを使用することによって、ＵＥは、ＭＢＳＦＮ送信に関与するすべてのセルからの統合チャネルを評価することが可能である。このチャネル評価は、合成されたＭＢＳＦＮ送信のコヒーレント検出のために使用され得る。
【００７０】
図１４は、ＭＢＳＦＮサブフレーム及びユニキャストサブフレームの両方が送信される複合的な場合についての全体の参照シンボルの構造を含む、ＬＴＥにおけるＭＢＳＦＮサブフレームの全体の構造を示している。この図において、ＭＢＳＦＮ参照シンボルは、“ＲＭ”と表示され、ユニキャスト参照シンボルは、“ＲＵ”と表示されている。参照シンボルのオーバヘッドを最小化するため、ＭＢＳＦＮサブフレームにおいてユニキャスト参照シンボルは、サブフレームの第１スロットの第１ＯＦＤＭシンボルにおいてのみ送信される（“ＯＦＤＭシンボルのＭＢＳＦＮグループ”）。非ＭＢＳＦＮサブフレームがサブフレームの第１及び第２スロットのそれぞれにおいてスロットごとに第１及び第２参照シンボルを含むことを想起すると、ＭＢＳＦＮサブフレームにおいて送信されるユニキャスト参照シンボルの数が削減されていることが理解され得る。
【００７１】
専用ＭＢＳＦＮキャリアの場合（すなわち、ユニキャスト送信が行われない場合）、ユニキャスト参照シンボル（ＲＵ）は全く送信される必要がない。
【００７２】
ＢＣＣＨがＢＣＨ又はＭＣＨのいずれへマッピングされているかの指標として参照信号を使用するために、ある種の参照信号のパターンが、一方又はもう一方を示すように予約され得る。しかしながらこれは、ＳＦＮ動作においてユニキャスト参照信号が送信されることを要求し、これはＭＢＳＦＮ参照信号がとにかく必要とされるため、より望ましくないことが知られている。代わりに、受信機は、例えば参照信号のシーケンスの相関特性を利用し、これをシステム情報の送信のために対応する方法を決定するための基礎として使用することによって、ユニキャスト又はＭＢＳＦＮ参照信号のいずれが送信されているかを検出することが可能となるであろう。
【００７３】
図１５の流れ図において示されている機能を、本実施形態を実行するために、ＵＥ１５００における適切なロジックが遂行する。図１５は、様々に示されている機能を遂行するように構成されているＵＥ１５００内のロジックを示すとも考えられ得る。
【００７４】
ＵＥ１５００におけるロジックは、前述したように、参照信号を受信することを含むセルサーチ手続を遂行する（ステップ１５０１）。ＵＥのロジックは、参照信号が、ＢＣＣＨがＭＣＨへマッピングされていることを示すか否かを決定する（判定ブロック１５０３）。そうである場合（判定ブロック１５０３からの“ＹＥＳ”パス）、ＵＥ１５００は、ＭＣＨからＢＣＣＨ情報を取得するであろう（ステップ１５０５）。
【００７５】
参照信号が、ＢＣＣＨがＭＣＨへマッピングされていることを示さなかった場合（判定ブロック１５０３からの“ＮＯ”パス）、ＵＥ１５００におけるロジックは、ＢＣＨからＢＣＣＨ情報を取得するであろう（ステップ１５０７）。
【００７６】
図１５に示されている、セルサーチ手続全体が遂行された（ステップ１５０１）後に現れる判定ブロック１５０３の描写は、単なる便宜上のものであるということは理解されるであろう。他の実施形態において、判定ブロック１５０３によって表わされる検査は、セルサーチ手続の全ての観点が完全に遂行されたか否かに関わらず、参照信号が受信された後いつ遂行されてもよい。
【００７７】
セルサーチ手続に関与する信号が、ＢＣＣＨ情報がどのようにマッピングされているかの標識を伝達するために、どのように利用され得るかを示す、いくつかの一例としての実施形態が、説明された。当然のことながら、これらは単なる例に過ぎず、これを行うための他の技術が同様に使用され得ることが想定される。
【００７８】
本発明は、特定の実施形態を参照して説明された。しかしながら、上述された実施形態以外の固有の形態で本発明を具現することが可能であることは、当業者には容易に明らかであろう。説明された実施形態は例示に過ぎず、決して限定的なものとみなされるべきではない。本発明の範囲は、先行する説明よりもむしろ添付の特許請求の範囲によって与えられ、特許請求の範囲内に収まるすべての変形及び均等物は、ここに包含されることが意図される。
【図１】
2010518744.tif 000003
【図２】
2010518744.tif 000004
【図３】
2010518744.tif 000005
【図４】
2010518744.tif 000006
【図５】
2010518744.tif 000007
【図６ａ】
2010518744.tif 000008
【図６ｂ】
2010518744.tif 000009
【図７】
2010518744.tif 000010
【図８】
2010518744.tif 000011
【図９】
2010518744.tif 000012
【図１０】
2010518744.tif 000013
【図１１】
2010518744.tif 000014
【図１２】
2010518744.tif 000015
【図１３】
2010518744.tif 000016
【図１４】
2010518744.tif 000017
【図１５】
2010518744.tif 000018
【国際調査報告】
2010518744.tif 000019
2010518744.tif 000020
2010518744.tif 000021
2010518744.tif 000022